(57)【要約】【課題】両側が集電子による導体支持構造のガス絶縁母線の内部導体を保持可能で、容器径縮小化においても作業性を確保した母線の輸送装置を提供する。【解決手段】タンク２内の内部導体５両端に、中空で作業穴９を有するポスト固定導体４Ａと、集電子４Ｂ、４Ｃとからなる端部接続導体４を結合する。ポスト固定導体４Ａを絶縁支持体３によりタンク２に固定する。ガス絶縁母線の輸送装置は、逃げ金具６と、押え金具７と、固定用ボルト８とで構成する。逃げ金具６は、作業穴９より挿入でき、端部接続導体４と絶縁支持体３を締結するボルトの頭部が没入する穴部と、固定用ボルト８の貫通穴を有する。押え金具７は、作業穴９より挿入でき、軸方向の位置調整代を兼ねた固定用ボルト８による逃げ金具６と共締め可能な貫通長穴を有する。固定用ボルト８は、逃げ金具６と押え金具７を絶縁支持体３へ固定する。【選択図】図２
2013027083.tif 000002
【特許請求の範囲】
【請求項１】
タンク内に内部導体を配置し、前記内部導体の両端に中空で作業穴を有するポスト固定導体と集電子とからなる端部接続導体を結合すると共に、前記ポスト固定導体を絶縁支持体により前記タンクに固定したガス絶縁母線の輸送装置において、逃げ金具と、押え金具と、固定用ボルトの構成からなり、前記逃げ金具は、前記作業穴より挿入でき、前記端部接続導体と前記絶縁支持体を締結するボルトの頭部が没入する穴部と、前記固定用ボルトのための貫通穴を有し、前記押え金具は、前記作業穴より挿入でき、前記固定用ボルトによる前記逃げ金具と共締め可能な貫通穴を有し、前記押え金具の端部で前記内部導体の両端面を挟持し、前記固定用ボルトは、前記逃げ金具と前記押え金具を前記絶縁支持体へ固定することを特徴とするガス絶縁母線の輸送装置。
【請求項２】
請求項１において、前記押え金具の有する貫通穴は軸方向の位置調整代を兼ねた貫通長穴であることを特徴とするガス絶縁母線の輸送装置。
【発明の詳細な説明】
【技術分野】
【０００１】
本発明は、ガス絶縁母線の輸送に用いる輸送装置に関する。
【背景技術】
【０００２】
従来、ガス絶縁母線（以下ＧＩＢという）輸送時の内部導体を保持するものとして、例えば特許文献１に示す輸送カバーがある。特許文献１に示すＧＩＢは、タンクフランジ面にあるスペーサにより導体の一端が片持ち状態で取付けられている。導体の他端は、内部に円筒を有する輸送カバーを取付けることで保持される。これにより、内部導体の輸送振動を抑えることができ、導体の受ける機械的ストレスを軽減している。
【０００３】
一方、両側が集電子による導体支持構造のＧＩＢの輸送においては、図６及び図７に示すように内部導体と導体支持部に保護材を巻きつけ、半割りの金具２個を用いて内部導体を保持しているものがある。
【先行技術文献】
【特許文献】
【０００４】
【特許文献１】特開平８−３１７５１８号公報
【発明の概要】
【発明が解決しようとする課題】
【０００５】
特許文献１に記載の発明は、導体片持ち構造で内部導体の軸方向への移動がない場合は適用することができる。しかし、両側が集電子による導体支持構造のＧＩＢにおいては、輸送時の加速度により内部導体が軸方向へ移動し導体支持構造部と衝突することで衝撃荷重が発生するおそれがある。
【０００６】
一方、図６、図７に示す半割りの金具を用いた場合には、内部導体と導体支持部とを固定することで内部導体を保持することが可能であるが、ＧＩＢの容器径縮小化により、作業性が悪く取付けが困難である。
【０００７】
本発明の目的は、両側が集電子による導体支持構造のＧＩＢの内部導体を保持することが可能な母線の輸送装置を提供することである。また、ＧＩＢの容器径縮小化においても作業性を確保した母線の輸送装置を提供することである。
【課題を解決するための手段】
【０００８】
本発明による母線の輸送装置は、タンク内に内部導体を配置し、前記内部導体の両端に中空で作業穴を有するポスト固定導体と集電子とからなる端部接続導体を結合すると共に、前記ポスト固定導体を絶縁支持体により前記タンクに固定したガス絶縁母線の輸送において用いられる。
【０００９】
本発明による母線の輸送装置は、逃げ金具と、押え金具と、固定用ボルトで構成される。この逃げ金具は、上記作業穴より挿入でき、上記端部接続導体と上記絶縁支持体を締結するボルトの頭部が没入する穴部と、上記固定用ボルトのための貫通穴を有する。上記押え金具は、上記作業穴より挿入でき、上記固定用ボルトによる上記逃げ金具と共締め可能な貫通穴を有し、上記押え金具の端部で上記内部導体の両端面を挟持する。上記固定用ボルトは、上記逃げ金具と上記押え金具を上記絶縁支持体へ固定する。
【００１０】
好ましくは、上記押え金具の有する貫通穴は軸方向の位置調整代を兼ねた貫通長穴であることを特徴とする。
【発明の効果】
【００１１】
本発明の輸送装置によれば、両側が集電子による導体支持構造のＧＩＢの内部導体を保持することが可能となる。また本発明の輸送装置は、タンクフランジ部近傍のポスト固定導体を絶縁支持体に固定するための作業穴部で輸送装置の取付けおよび取外し作業が可能である為、ＧＩＢの容器径縮小化においても作業性を確保できる。特に、３相一括形ＧＩＢに本発明を適用した場合には、作業性を犠牲にせずにタンク径の縮小化が可能である。
【図面の簡単な説明】
【００１２】
【図１】本発明の一実施例によるＧＩＢの輸送装置の輸送時組立状況を示す概略図である。
【図２】図１の要部拡大断面図である。
【図３】図２の紙面下側から見た本発明の要部拡大断面図である。
【図４】図２に示す逃げ金具６の部品概略図である。図４（ａ）は逃げ金具６の平面図、図４（ｂ）及び図４（ｃ）は逃げ金具６の側面図である。
【図５】図２に示す押え金具７の部品概略図である。図５（ａ）は押え金具７の平面図、図５（ｂ）は押え金具７の側面図である。
【図６】従来技術の輸送装置の輸送時組立状況を示す部分拡大断面図である。
【図７】図６のＢ−Ｂ線から見る部分断面図である。
【発明を実施するための形態】
【実施例１】
【００１３】
以下、本発明のガス絶縁母線の輸送装置を図面に基づいて説明する。尚、以下の実施例においては、ＧＩＢを３相一括配置としたものを適用しているがＧＩＢが相分離配置の構成であっても本実施例が適用できることは言うまでもない。
【００１４】
図１および図２に示すガス絶縁開閉装置のＧＩＢ１は、輸送寸法内に区分した円筒状のタンク２内に３相分の内部導体５を配置している。タンク２は、直線状の配管部２Ａと両端のフランジ部２Ｂからなっており、内部導体５は両端に端部接続導体４を結合している。
【００１５】
端部接続導体４は、図２に示す如く、ポスト固定導体４Ａと、内部導体５と接続する内側集電子４Ｂと、別の内部導体と接続する外側集電子４Ｃを有して構成され、タンク２に固定する柱状の絶縁支持体３がポスト固定導体４Ａと接続されることによって内部導体５が支持されている。すなわち、内部導体５は、タンク２内の両端の内側集電子４Ｂに接続するように構成されている。
【００１６】
上記のように構成されたＧＩＢ１は、輸送可能な寸法に設定されている。尚、両端のフランジ部２Ｂおよび外側集電子４Ｃは、それぞれ隣接するタンクのフランジ部および内部導体５に接続される。
【００１７】
タンク２、端部接続導体４、内部導体５はそれぞれ金属製であるが絶縁支持体３はエポキシ樹脂等の絶縁物であるので、内部導体５とタンク２間の絶縁が確保される。
【００１８】
また、端部接続導体４を構成するポスト固定導体４Ａと各集電子４Ｂ、４Ｃは中空導体である。ポスト固定導体４Ａは絶縁支持体３との接続作業に用いる作業穴９を有する。この作業穴９は以下で詳述する輸送装置をポスト固定導体４Ａに取付けるのに十分な大きさのものである。
【００１９】
本実施例の輸送装置は、逃げ金具６と押え金具７と輸送装置取付け用ボルト８から構成され、図１に示すように内部導体５をその両端から挟持し内部導体５の移動を抑制する。
【００２０】
逃げ金具６は、押え金具７を輸送装置取付け用ボルト８によって固定する際の固定用の座として使用するものである。ポスト固定導体４Ａは絶縁支持体３に４本のボルトで固定されており、押え金具７は、そのうちの１本のボルトで絶縁支持体３に固定されるのであるが、３本のボルト（ポスト固定導体取付け用ボルト４Ｄ）の頭がポスト固定導体４Ａから突出した状態であると、押え金具７をポスト固定導体４Ａに固定するのが難しくなる。よって、ポスト固定導体取付け用ボルト４Ｄの頭部が入る穴部をもった逃げ金具６を、押え金具７とポスト固定導体４Ａの間に介挿する。
【００２１】
本実施例においては、図４に示すように穴部６Ｂを３つ設けている。この穴部６Ｂは、穴の代わりにポスト固定導体取付け用ボルト４Ｄの頭部が収まる凹部もしくは切欠きとしても良い。更に、作業性の向上を図る為、逃げ金具６は、つかみ部６Ｃを有することが好ましい。なお、逃げ金具６は、作業用穴９からポスト固定導体内部４Ａへ入る大きさであればその形状は特に限定されない。
【００２２】
押え金具７の形状は、例えば図５に示すように湾曲しているものが好ましい。また、押え金具７は、輸送装置取付け用ボルト８が貫通する貫通長穴７Ａを備えるのが好ましい。この貫通長穴７Ａは、軸方向の取付け位置が調整できるような形状とする。更に、押え金具７は、作業性の向上を図る為、つかみ部７Ｃを有することが好ましい。押え金具７の断面形状は円柱、角柱であっても、板状としてもよく、作業穴９から入る大きさであればよい。
【００２３】
また、押え金具７の片端には、内部導体端面部５Ａを傷つけない為のラバーもしくはプラスチック製の保護材７Ｂを配置することが好ましい。押え金具７は、その端部７Ｄ（押え金具７が保護材７Ｂを有する場合には保護材７Ｂ）により、内部導体５を両端から内部導体端面部５Ａに当接し、挟持できる長さを有する。
【００２４】
次にＧＩＢ１の輸送時において、本発明の輸送装置を作業穴９から端部接続導体４内部に取付ける手順について説明する。前提として、ポスト固定導体４Ａは４本のポスト固定導体取付け用ボルト４Ｄにより絶縁支持体３に取付けられているものとする。
【００２５】
まず、４本のポスト固定導体取付け用ボルト４Ｄのうち内部導体５側に位置した１本を取外す。次に、図４に示す逃げ金具６の穴部６Ｂを残った３本のポスト固定導体取付け用ボルト４Ｄの頭部に合わせ配置する。
【００２６】
次に、予め先端に保護材７Ｂを取付けた押え金具７を端部接続導体４の作業穴９から保護材７Ｂが内部導体端面部５Ａに当接するように挿入する。この状態で、押え金具７と内部導体５が同軸上に配されるように位置を調整し、逃げ金具６と押え金具７を輸送装置取付け用ボルト８により、取外した輸送装置取付けボルト用ねじ穴６Ａに固定する。
【００２７】
次に、内部導体５の反対側に位置する端部接続導体４にも前述と同様にして押え金具７を取付ける。このようにして、内部導体５の両端部が押え金具７で拘束されることで、内部導体５は軸方向に動かなくなる。
【００２８】
以上の手順により、輸送装置を端部接続導体４へ取付けたＧＩＢ１は、フランジ２Ｂを閉鎖して現地へ輸送される。
【００２９】
この際、ＧＩＢ１の輸送中の加速度によって内部導体５が移動しない為、衝撃荷重の発生もなく、機械的ストレスを軽減でき、製品を壊すことなく安全に現地へ輸送できる。
【００３０】
また、従来技術である半割りの金具は、内側集電子側の端部接続導体と内部導体を固定するものであるため、容器径の小さなＧＩＢでは取付け作業が困難であるのに対し、本発明の輸送装置は、タンクフランジ部２Ｂ近傍のポスト固定導体４Ａを絶縁支持体３に固定するための作業穴９を用いて輸送装置の取付けおよび取外し作業が可能である為、容器径の小さなＧＩＢにおいても作業性を確保できる。
【符号の説明】
【００３１】
１    ガス絶縁母線（ＧＩＢ）
２    タンク
３    絶縁支持体
４    端部接続導体
４Ａ    ポスト固定導体
４Ｂ    内側集電子
４Ｃ    外側集電子
４Ｄ    ポスト固定導体取付け用ボルト
５    内部導体
５Ａ    内部導体端面部
６    逃げ金具
６Ａ    輸送装置取付けボルト用ねじ穴
６Ｂ    穴部
６Ｃ    つかみ部
７    押え金具
７Ａ    貫通長穴
７Ｂ    保護材
７Ｃ    つかみ部
７Ｄ    端部
８    輸送装置取付け用ボルト
９    作業穴
【図１】
2013027083.tif 000003
【図２】
2013027083.tif 000004
【図３】
2013027083.tif 000005
【図４】
2013027083.tif 000006
【図５】
2013027083.tif 000007
【図６】
2013027083.tif 000008
【図７】
2013027083.tif 000009